(57)【要約】【課題】部品点数を削減することができるとともに、防水構造の簡略化や高機能化が可能な強電端子台構成を備えたモータ駆動ユニットを提供すること。【解決手段】モータ駆動ユニットM/Uは、モータ/ジェネレータ６の隣接位置にベルト式無段変速機T/Mが配置されている。このモータ駆動ユニットM/Uにおいて、モータ/ジェネレータ６を収容するモータハウジング１５と、モータ/ジェネレータ６のステータコイル６３とユニット外部の電力装置を接続するモータ側コイル端子１７、インバータ側コイル端子１８及び端子接続ボルト１９を取り付ける端子台２０と、ベルト式無段変速機T/Mの変速機ケース１０に連結され、モータハウジング１５の外周を囲うフロントケース１４と、を有する。そして、フロントケース１４を、端子台２０を支持しつつ端子台２０を覆うように構成した。【選択図】図２
2014090658.tif 000002
【特許請求の範囲】
【請求項１】
ロータとステータを有するモータを備えたモータ駆動ユニットにおいて、
前記モータを収容するモータハウジングと、
前記モータのステータコイルとユニット外部の電力装置を接続する端子を取り付ける端子台と、
前記モータハウジングの外周を囲うフロントケースと、を有し、
前記フロントケースを、前記端子台を支持しつつ前記端子台を覆うように構成した
ことを特徴とするモータ駆動ユニット。
【請求項２】
請求項１に記載されたモータ駆動ユニットにおいて、
前記端子台の防水構造を、前記フロントケースの内部に配置される前記端子台の内部に端子台内部防水領域を形成することで構成した
ことを特徴とするモータ駆動ユニット。
【請求項３】
請求項１又は２に記載されたモータ駆動ユニットにおいて、
前記フロントケースは、前記モータハウジングをフローティング支持するものであり、
前記端子台の防水構造として、前記モータハウジングの端子開口部の周囲に前記端子台との間で、端子台内側空間への浸入経路を蛇行させた迷路による第１ラビリンス構造を設けた
ことを特徴とするモータ駆動ユニット。
【請求項４】
請求項１から３までの何れか１項に記載されたモータ駆動ユニットにおいて、
前記フロントケースは、ケース開口部を塞ぐフロントケースカバーによって端子台外側空間を覆う構成とし、
前記端子台は、前記フロントケースカバーの対向位置に設定した端子台カバーにより端子台内側空間を覆う構成とし、
前記端子台の防水構造として、前記フロントケースカバーと前記端子台カバーの間に弾性部材を介装して押さえ付けることで構成した第２ラビリンス構造を設けた
ことを特徴とするモータ駆動ユニット。
【請求項５】
請求項１又は２に記載されたモータ駆動ユニットにおいて、
前記端子台の防水構造を、前記端子台の端子台内側空間への浸入経路を蛇行させたラビリンス構造に、空気を通す防水スポンジを追加することで構成した
ことを特徴とするモータ駆動ユニット。
【請求項６】
請求項５に記載されたモータ駆動ユニットにおいて、
前記端子台の防水構造として、前記モータハウジングの端子開口部の周囲に前記端子台との間で、端子台内側空間への浸入経路を蛇行させて迷路を形成し、この迷路領域に空気を通す防水スポンジを追加した第３ラビリンス構造を設けた
ことを特徴とするモータ駆動ユニット。
【請求項７】
請求項５又は６に記載されたモータ駆動ユニットにおいて、
前記端子台の防水構造として、前記端子台のカバー開口部の周囲に前記端子台カバーとの間で、端子台内側空間への浸入経路を蛇行させて迷路を形成し、この迷路領域に空気を通す防水スポンジを追加した第４ラビリンス構造を設けた
ことを特徴とするモータ駆動ユニット。
【発明の詳細な説明】
【技術分野】
【０００１】
本発明は、モータのステータコイルとユニット外部の電力装置を接続する端子が取り付けられる強電端子台構成を備えたモータ駆動ユニットに関する。
【背景技術】
【０００２】
従来、ＦＦ車のハイブリッド駆動系において、エンジンとベルト式無段変速機の間の位置であって、乾式多板クラッチの外側の位置にモータ駆動ユニットが配置されたものが知られている（例えば、特許文献１）。
【先行技術文献】
【特許文献】
【０００３】
【特許文献１】特開２０１０−１５１３１３号公報
【発明の概要】
【発明が解決しようとする課題】
【０００４】
しかしながら、モータ駆動ユニットの強電端子台構成は、フロントケースを貫通して端子台を設ける必要があることで、組み立て上、端子台ケースを別部品としてモータハウジングに固定する構造になってしまう。例えば、特許文献１には、端子台が図示されていないが、特許文献１の図７によれば、フロントケースの形状から、モータハウジングの上部に端子台ケースに支持された端子台が配置されることが明らかである。
このように、強電端子台構成として、端子台を支持する端子台ケースが必須の構成要素になることで、部品点数が増大するし、端子台と端子台ケースとの間で外部との防水性を確保するガスケットによる防水シール部を必要とする、という問題がある。
【０００５】
本発明は、上記問題に着目してなされたもので、部品点数を削減することができるとともに、防水構造の簡略化や高機能化が可能な強電端子台構成を備えたモータ駆動ユニットを提供することを目的とする。
【課題を解決するための手段】
【０００６】
上記目的を達成するため、本発明では、ロータとステータを有するモータを備えることを前提とする。
このモータ駆動ユニットにおいて、前記モータを収容するモータハウジングと、前記モータのステータコイルとユニット外部の電力装置を接続する端子を取り付ける端子台と、前記モータハウジングの外周を囲うフロントケースと、を有する。
そして、前記フロントケースを、前記端子台を支持しつつ前記端子台を覆うように構成した。
【発明の効果】
【０００７】
上記のように、フロントケースが、モータハウジングの外周を囲うとともに、端子台を支持しつつ端子台を覆うように構成され、フロントケースに対して端子台を支持することで、端子台を支持する専用部品としての端子台ケースが不要となる。このため、フロントケースと端子台ケースをそれぞれ設ける場合に比べ、部品点数が削減される。
さらに、端子台ケースを設ける場合には、モータハウジング内への外部からの水浸入を防止する防水構造として、端子台と端子台ケースとの間で外部との防水性を確保するガスケットによるシール構造が必要であった。これに対し、モータハウジングの外周を囲うとともに、端子台を内部に支持するフロントケースそのものが、外部との防水構造になることで、ガスケットによるシール構造を必要としない。
このように、フロントケースに端子台ケース機能を持たせることで、部品点数を削減することができるとともに、防水構造の簡略化や高機能化が可能な強電端子台構成を備えたモータ駆動ユニットを提供することができる。
【図面の簡単な説明】
【０００８】
【図１】実施例１のモータ駆動ユニットを備えたＦＦハイブリッド駆動系の構成を示す断面図である。
【図２】実施例１のモータ駆動ユニットの強電端子台構成の詳細を示す要部断面図である。
【図３】実施例１のモータ駆動ユニットにおいて端子台ケースを削減した強電端子台構成を示す作用説明図である。
【図４】比較例のモータ駆動ユニットにおける強電端子台構成を示す断面図である。
【図５】実施例１のモータ駆動ユニットにおける強電端子台構成での端子台内部防水構造を示す作用説明図である。
【図６】比較例のモータ駆動ユニットにおける強電端子台構成での端子台全体防水構造を示す断面図である。
【図７】実施例１のモータ駆動ユニットにおける強電端子台構成でのモータハウジングと端子台の間でのラビリンス構造を示す作用説明図である。
【図８】比較例のモータ駆動ユニットにおける強電端子台構成でのモータハウジングと端子台ケースの直結構造を示す断面図である。
【図９】実施例１のモータ駆動ユニットにおける強電端子台構成でのケースカバーと端子台カバーの間でのラビリンス構造を示す作用説明図である。
【図１０】比較例のモータ駆動ユニットにおける強電端子台構成での端子台ケースと端子台ケースカバーとのガスケットシール構造を示す断面図である。
【図１１】実施例２のモータ駆動ユニットの強電端子台構成の詳細を示す要部断面図である。
【図１２】実施例２のモータ駆動ユニットにおける強電端子台構成での防水スポンジを追加したラビリンス構造を示す要部断面図である。
【図１３】実施例２のモータ駆動ユニットにおける強電端子台構成での第２ラビリンス構造の防水スポンジを示す図１２のＦ−Ｆ線断面図である。
【発明を実施するための形態】
【０００９】
以下、本発明のモータ駆動ユニットを実現する最良の形態を、図面に示す実施例１及び実施例２に基づいて説明する。
【実施例１】
【００１０】
まず、構成を説明する。
実施例１のモータ駆動ユニットの構成を、「ＦＦハイブリッド駆動系の構成」、「モータ駆動ユニットの強電端子台詳細構成」に分けて説明する。
【００１１】
［ＦＦハイブリッド駆動系の構成］
図１は、実施例１のモータ駆動ユニットを備えたＦＦハイブリッド駆動系の構成を示す。以下、図１に基づき、ＦＦハイブリッド駆動系の構成を説明する。
【００１２】
前記ＦＦハイブリッド駆動系は、図１に示すように、エンジンEngと、クラッチユニットC/Uと、ベルト式無段変速機T/Mと、モータ駆動ユニットM/Uと、を備え、左右前輪を駆動するＦＦハイブリッド車に搭載される。
【００１３】
前記エンジンEngは、パワーユニットルーム内に横置きに配置され、エンジンEngとベルト式無段変速機T/Mの間のスペースのうち、内側スペースにクラッチユニットC/Uが配置され、クラッチユニットC/Uの外側スペースにモータ駆動ユニットM/Uが配置されている。すなわち、モータ駆動ユニットM/Uは、エンジンEngとベルト式無段変速機T/Mに挟まれて配置され、このモータ駆動ユニットM/Uのロータ内側にスペースを確保し、このスペースを利用してクラッチユニットC/Uを配置する構成としている。
【００１４】
前記ＦＦハイブリッド駆動系は、図１に示すように、エンジンEngから下流に向かってエンジン入力軸１→クラッチハブ２→乾式多板クラッチ３→クラッチドラム４→変速機入力軸５を経由する駆動力伝達経路が構成される。エンジン入力軸１とクラッチハブ２は、溶接等により一体に固定される。また、クラッチドラム４と変速機入力軸５は、スプライン結合により固定される。さらに、クラッチドラム４の外周面には、モータ/ジェネレータ６のロータ６１が一体に固定される。
すなわち、駆動力伝達経路に有する乾式多板クラッチ３を開放したときには、モータ/ジェネレータ６を駆動源に有する「電気自動車走行モード」とされる。そして、駆動力伝達経路に有する乾式多板クラッチ３を油圧締結したときには、エンジンEngとモータ/ジェネレータ６を駆動源に有する「ハイブリッド車走行モード」とされる。
【００１５】
前記クラッチユニットC/Uは、円筒状のクラッチドラム４の内面に形成された隔壁部４ａによって、ベルト式無段変速機T/M側のアクチュエータ室７と、エンジンEng側のクラッチ室８と、に画成される。そして、アクチュエータ室７にピストンの軸方向進退移動によりクラッチ締結／開放を行う油圧アクチュエータ９を配置し、クラッチ室８にドライブプレートとドリブンプレートにより構成される乾式多板クラッチ３を配置する。
【００１６】
前記ベルト式無段変速機T/Mは、変速機ケース１０の内部に、前進クラッチ１１と後退ブレーキ１２を有する前後進切替機構１３と、２つのプーリ間にＶベルトを掛け渡し、ベルト接触径を変化させることにより無段階の変速比を得る図外のＶベルト式無段変速機構と、を備えている。そして、変速機入力軸５によりチェーン駆動される図外のオイルポンプを有し、オイルポンプ圧を元圧とし、プライマリプーリ室やセカンダリプーリ室への変速油圧、前進クラッチ圧、後退ブレーキ圧、乾式多板クラッチ圧、等を調圧するコントロールバルブを備えている。なお、図外の変速機出力軸は、デファレンシャルギヤを介して左右前輪に駆動連結される。
【００１７】
前記変速機ケース１０のフロント側には、クラッチユニットC/Uとモータ駆動ユニットM/Uの全体を覆うフロントケース１４がボルト等により固定される。このフロントケース１４の他端面のフランジ連結部１４ａは、エンジンEngに固定される。すなわち、エンジンEngとベルト式無段変速機T/Mを、フロントケース１４を介して互いに連結する外殻ケース構造としている。
【００１８】
前記モータ駆動ユニットM/Uは、静止部材であるモータハウジング１５とモータカバー１６に囲まれた空間内に、モータ/ジェネレータ６が収容配置される。モータ/ジェネレータ６は、埋め込み同期型三相交流回転電機であり、クラッチドラム６の外周面に一体に固定され、永久磁石が埋め込まれたロータ６１と、該ロータ６１にエアギャップを介して配置され、モータハウジング１５に固定されたステータ６２と、を有する。ステータ６２の各ティースに巻き付けられたステータコイル６３は、円周上に複数組配列されたＵ相コイルとＶ相コイルとＷ相コイルにより構成される。そして、Ｕ相コイルとＶ相コイルとＷ相コイルに分けて束ねたモータ側コイル端子１７を、モータハウジング１５の上部に開口した端子開口部１５ａから取り出し、ユニット外部の電力装置（例えば、駆動モータインバータ）と接続するための強電端子台構成Ａ１を設定している。なお、モータハウジング１５には、ステータ冷却水を流通させるウォータジャケット１５ｂが形成されている。
【００１９】
前記強電端子台構成Ａ１は、モータ側コイル端子１７とインバータ側コイル端子１８と端子接続ボルト１９を取り付ける端子台２０と、端子台２０の開口上部を覆う端子台カバー２１と、を備えている。そして、端子台カバー２１を一体に有する端子台２０は、モータハウジングの外周を囲うフロントケース１４に支持され、フロントケース１４の開口上部は、フロントケースカバー２２により覆われている。
【００２０】
［モータ駆動ユニットの強電端子台詳細構成］
図２は、実施例１のモータ駆動ユニットの強電端子台構成の詳細を示す。以下、図２に基づき、モータ駆動ユニットM/Uの強電端子台詳細構成を説明する。
【００２１】
前記モータ駆動ユニットM/Uの強電端子台構成Ａ１は、図２に示すように、モータ/ジェネレータ６を収容するモータハウジング１５と、端子台２０と、変速機ケース１０に連結され、モータハウジング１５の外周を囲うフロントケース１４と、を有する。そして、フロントケース１４は、端子台２０を端子台支持部１４ａにより支持しつつ、端子台２０の全体を覆うように構成される。
【００２２】
前記端子台２０の防水構造は、フロントケース１４の内部に配置される端子台２０の内部により形成され、図２の破線にて囲まれる領域を端子台内部防水領域Ｂとして構成している。すなわち、強電端子台のそのものは、フロントケース１４に支持される端子台２０と、端子台２０にねじ込み固定された端子台インナープラグ２３と、端子台２０の開口上部を覆う端子台カバー２１と、により構成される。そして、端子台インナープラグ２３とインバータ側コイル端子１８との間のプラグシール構造Ｃと、モータハウジング１５と端子台２０との間の第１ラビリンス構造Ｄと、端子台カバー２１とフロントケースカバー２２との間の第２ラビリンス構造Ｅと、を端子台防水構造とする。以下、各防水構造について説明する。
【００２３】
前記プラグシール構造Ｃは、端子台インナープラグ２３と、端子台インナープラグ２３の内部に挿通するインバータ側コイル端子１８との間を防水シールするシール部材２４により構成される。ここで、端子台インナープラグ２３のフロントケースカバー２２に対する支持は、フロントケース１４から外部に突出した突出部に端子台アウタープラグ２５をねじ込み固定することで行っている。
【００２４】
前記第１ラビリンス構造Ｄは、モータハウジング１５の端子開口部１５ａの周囲に端子台２０との間で、ケース内空間２６や端子台外側空間３１から端子台内側空間２７への浸入経路を蛇行させた迷路により構成される。ここで、モータハウジング１５は、図１に示すように、フロントケース１４に対しＯリング２８を介してフローティング支持されている。このため、フロントケースカバー２２に支持される端子台２０とモータハウジング１５が相対変位し、この相対変位を吸収する必要があることが第１ラビリンス構造Ｄとした理由の一つである。具体的な第１ラビリンス構造Ｄは、図２に示すように、モータハウジング１５の端子開口部１５ａに、端子開口部２９ａと、ラビリンス突条２９ｂと、を有するハウジングカバー２９を設ける。一方、フロントケース１４の端子台開口部１４ｂに突出する端子台２０の端子開口端部２０ａの位置にラビリンス突条２０ｂを形成する。そして、下向きのラビリンス突条２０ｂと上向きのラビリンス突条２９ｂとを、周方向に所定の隙間を介して対向配置することで迷路を形成する。
【００２５】
前記第２ラビリンス構造Ｅは、フロントケースカバー２２と端子台カバー２１の間に振動吸収スポンジ３０（弾性部材）を介装して押さえ付けることで構成される。すなわち、フロントケース１４は、ケース開口部を塞ぐフロントケースカバー２２によって端子台外側空間３１を覆う構成とされる。一方、端子台２０は、フロントケースカバー２２の対向位置に設定した端子台カバー２１により端子台内側空間２７を覆う構成とされる。このように、フロントケースカバー２２により、振動吸収スポンジ３０を介装して端子台カバー２１を押さえ付けることで、端子台外側空間３１から端子台内側空間２７へ浸入しようとする水を遮断するようにしている。ここで、フロントケースカバー２２は、フロントケース１４に対してボルト３２によって締め付け固定される。しかし、端子台カバー２１は、フロントケースカバー２２の内蓋構造となっていて、フロントケースカバー２２をボルト固定するだけで、振動吸収スポンジ３０を介して押付け固定される。つまり、端子台カバー２１を固定するためのボルトを不要とする。
【００２６】
次に、作用を説明する。
実施例１のモータ駆動ユニットM/Uにおける作用を、「端子台ケースの廃止作用」、「端子台内部での防水作用」、「端子台接続部での防水及びモータ振動遮断作用」、「端子台開口部での防水及びモータ振動吸収作用」に分けて説明する。なお、これらの作用を説明するにあたって、端子台ケースを別部品としてモータハウジングに固定し、端子台ケースに端子台を支持するものを比較例とする。
【００２７】
［端子台ケースの廃止作用］
強電端子台構成としては、要求される機能を満足する構成であれば、部品点数がより少なく、簡潔な構成であることが好ましい。以下、図３及び図４に基づき、これを反映する端子台ケースの廃止作用を説明する。
【００２８】
比較例の場合、図４に示すように、モータハウジングの上部の端子開口部に端子台ケースが固定され、端子台ケースに端子台が支持される。なお、フロントケースには、端子台ケースを挿通させるケース開口部が設けられ、外部とケース内空間とは開口隙間により連通している。
このように、端子台を支持する端子台ケースが必須の構成要素になることで、部品点数が増大するし、端子台と端子台ケースとの間で外部との防水性を確保するガスケットによる防水シール部を必要とする。
【００２９】
これに対し、実施例１の強電端子台構成Ａ１では、図３に示すように、モータハウジング１５の外周を囲うフロントケース１４を、端子台２０を支持しつつ端子台２０を覆う構成を採用した。
すなわち、端子台ケースをフロントケース１４に一体化し、フロントケース１４に対して端子台２０を支持することで、端子台２０を支持する専用部品としての端子台ケースが不要となり、端子台ケースを廃止できる。このため、フロントケースと端子台ケースをそれぞれ設ける比較例に比べ、部品点数が削減される。
さらに、端子台ケースを設ける比較例の場合には、図４に示すように、端子台と端子台ケースとの間で外部との防水性を確保するガスケットによるシール構造が必要であった。これに対し、モータハウジング１５の外周を囲うとともに、端子台２０を内部に支持するフロントケース１４そのものが外部との防水構造になることで、ガスケットによるシール構造を必要としない。
このように、フロントケース１４に端子台ケース機能を持たせることで、部品点数を削減（原価低減効果）できるとともに、防水構造の簡略化や高機能化が可能である。
【００３０】
［端子台内部での防水作用］
強電端子台構成における防水構造としては、全体領域で防水構造を形成するよりも、部分領域で防水構造を形成する方が、シール部の必要数が減少するし、シール構成の簡略化も図れることで好ましい。以下、図５及び図６に基づき、これを反映する端子台内部での防水作用を説明する。
【００３１】
比較例の場合、モータハウジングに固定した端子台ケースの内部に端子台を支持する構成である。このため、外部との防水性を確保するには、図６のハッチングに示すように、端子台ケースにより覆われる全体を防水する端子台全体防水領域による防水構造を形成する必要がある。さらに、端子台全体防水領域を形成するには、端子台ケースと端子台との間からの水の浸入を防ぐガスケットによるシール構造を必要とする。
【００３２】
これに対し、実施例１の強電端子台構成Ａ１では、図５に示すように、端子台２０の防水構造として、フロントケース１４の内部に配置される端子台２０の内部に端子台内部防水領域Ｅを形成する構成を採用した。
このため、上記のように、フロントケース１４そのものが外部との防水構造になることで、ガスケットによるシール構造を必要とせず、防水構造として、端子台内部防水領域Ｅを形成する機能を満足するシール構造であれば良い。
したがって、強電端子台構成Ａ１の防水構造として、第１ラビリンス構造Ｄや第２ラビリンス構造Ｅ等のように、ガスケット以外のボルト固定が不要な他のシール構造に変更することが可能である。
【００３３】
［端子台接続部での防水及びモータ振動遮断作用］
強電端子台構成としては、端子台接続部での防水機能に加え、モータ振動の伝達を遮断できるようにするのが好ましい。以下、図７及び図８に基づき、これを反映する端子台接続部での防水及びモータ振動遮断作用を説明する。
【００３４】
比較例の場合、図８に示すように、モータハウジングに対し端子台ケースが直結状態で固定されているため、モータ/ジェネレータの振動が、端子台ケースを介して端子台に伝播される。加えて、端子台ケースの内部空間が密封状態であるため、外気と連通してケース内空間の圧力上昇を抑えるブリーザを端子台ケースに設ける必要がある。
【００３５】
これに対し、実施例１の強電端子台構成Ａ１では、図７に示すように、端子台２０の防水構造として、モータハウジング１５の端子開口部１５ａの周囲に端子台２０との間で迷路による第１ラビリンス構造Ｄを設けた構成を採用した。
したがって、端子台２０とモータハウジング１５を分離する第１ラビリンス構造Ｄにより、下記に述べるメリットが得られる。
(a) 端子台内側空間２７へ浸入しようとする水を迷路構造により抑制するという防水性能が発揮される。
(b) フロントケース１４に支持される端子台２０とモータハウジング１５との相対変位が吸収されるだけでなく、モータ/ジェネレータ６の振動が端子台２０に直接伝播されるのが回避（モータ振動の遮断）される。
(c) 外気との連通が確保されているケース内空間２６及び端子台外側空間３１と、端子台内側空間２７とが、第１ラビリンス構造Ｄを介して連通していることで、比較例で端子台ケースに設けていたブリーザが不要（部品削減による原価低減効果）となる。
【００３６】
［端子台開口部での防水及びモータ振動吸収作用］
強電端子台構成としては、端子台開口部での防水機能に加え、モータ振動の吸収機能も併せて得るようにするのが好ましい。以下、図９及び図１０に基づき、これを反映する端子台開口部での防水及びモータ振動吸収作用を説明する。
【００３７】
比較例の場合、図１０に示すように、端子台ケースに対し、端子台ケースカバーがガスケットを介してボルトにより固定されている。このため、端子台を収納する開口部を塞ぐためにガスケットとボルトが必要である。
【００３８】
これに対し、実施例１の強電端子台構成Ａ１では、図９に示すように、端子台２０の防水構造として、フロントケースカバー２２と端子台カバー２１の間に振動吸収スポンジ３０を介装して押さえ付けることで構成した第２ラビリンス構造Ｅを設けた構成を採用した。
したがって、端子台カバー２１をフロントケースカバー２２の内蓋構造とし、両カバー２１，２２に間に振動吸収スポンジ３０を介装した第２ラビリンス構造Ｅとしたことにより、下記に述べるメリットが得られる。
(a) 端子台外側空間３１から端子台内側空間２７へ浸入しようとする水を遮断するという防水性能が発揮される。
(b) フロントケース１４及びフロントケースカバー２２を介して端子台２０に伝達される変速機振動が振動吸収スポンジ３０により吸収される。
(c) フロントケースカバー２２をボルト３２により固定するだけで端子台カバー２１が固定されるため、比較例で用いた端子台ケースカバーを固定するためのボルトやガスケットが不要（部品削減による原価低減効果）となる。
【００３９】
次に、効果を説明する。
実施例１のモータ駆動ユニットM/Uにあっては、下記に列挙する効果を得ることができる。
【００４０】
(1) ロータ６１とステータ６２を有するモータ（モータ/ジェネレータ６）を備えたモータ駆動ユニットM/Uにおいて、
前記モータ（モータ/ジェネレータ６）を収容するモータハウジング１５と、
前記モータ（モータ/ジェネレータ６）のステータコイル６３とユニット外部の電力装置を接続する端子（モータ側コイル端子１７、インバータ側コイル端子１８、端子接続ボルト１９）を取り付ける端子台２０と、
前記モータハウジング１５の外周を囲うフロントケース１４と、を有し、
前記フロントケース１４を、前記端子台２０を支持しつつ前記端子台２０を覆うように構成した（図２、図３）。
このため、部品点数を削減することができるとともに、防水構造の簡略化や高機能化が可能な強電端子台構成Ａ１を備えたモータ駆動ユニットM/Uを提供することができる。
【００４１】
(2) 前記端子台２０の防水構造を、前記フロントケース１４の内部に配置される前記端子台２０の内部に端子台内部防水領域Ｂを形成することで構成した（図５）。
このため、上記(1)の効果に加え、強電端子台構成Ａ１の防水構造として、第１ラビリンス構造Ｄや第２ラビリンス構造Ｅ等のように、ガスケット以外のボルト固定が不要な他のシール構造に変更することができる。
【００４２】
(3) 前記フロントケース１４は、前記モータハウジング１５をフローティング支持するものであり、
前記端子台２０の防水構造として、前記モータハウジング１５の端子開口部１５ａの周囲に前記端子台２０との間で、端子台内側空間２７への浸入経路を蛇行させた迷路による第１ラビリンス構造Ｄを設けた（図７）。
このため、上記(1)又は(2)の効果に加え、防水性能が発揮されるだけでなく、モータ振動の遮断機能とブリーザ機能を併せて発揮することができる。
【００４３】
(4) 前記フロントケース１４は、ケース開口部を塞ぐフロントケースカバー２２によって端子台外側空間３１を覆う構成とし、
前記端子台２０は、前記フロントケースカバー２２の対向位置に設定した端子台カバー２１により端子台内側空間２７を覆う構成とし、
前記端子台２０の防水構造として、前記フロントケースカバー２２と前記端子台カバー２１の間に弾性部材（振動吸収スポンジ３０）を介装して押さえ付けることで構成した第２ラビリンス構造Ｅを設けた（図９）。
このため、上記(1)〜(3)の効果に加え、防水性能が発揮されるだけでなく、変速機振動の吸収機能と端子台カバー固定機能を併せて発揮することができる。
【実施例２】
【００４４】
実施例２は、端子台の防水構造を、端子台内側空間への浸入経路を蛇行させたラビリンス構造に、空気を通す防水スポンジを追加する構成とした例である。
【００４５】
まず、構成を説明する。
図１１は、実施例２のモータ駆動ユニットの強電端子台構成の詳細を示し、図１２は、防水スポンジを追加したラビリンス構造を示し、図１３は、第２ラビリンス構造の防水スポンジを示す。以下、図１１〜図１３に基づき、実施例２のモータ駆動ユニットM/Uの強電端子台詳細構成を説明する。
【００４６】
実施例２の強電端子台構成Ａ２は、図１１に示すように、フロントケース１４の内部に配置される端子台２０の内部により形成され、図１１の破線にて囲まれる領域を端子台内部防水領域Ｂとして構成している。そして、端子台インナープラグ２３とインバータ側コイル端子１８との間のプラグシール構造Ｃと、モータハウジング１５と端子台２０との間の第３ラビリンス構造Ｄ’と、端子台カバー２１とフロントケースカバー２２との間の第４ラビリンス構造Ｅ’と、を端子台防水構造とする。以下、実施例１と相違する第３ラビリンス構造Ｄ’と第４ラビリンス構造Ｅ’の構成について説明する。
【００４７】
前記第３ラビリンス構造Ｄ’は、モータハウジング１５の端子開口部１５ａの周囲に端子台２０との間で、ケース内空間２６や端子台外側空間３１から端子台内側空間２７への浸入経路を蛇行させた迷路を形成し、この迷路領域に空気を通す防水スポンジ３３を追加することで構成される。この防水スポンジ３３は、図１３に示すように、ラビリンス突条２９ｂの外周面に合致する形状の穴を有する環状スポンジを、ハウジングカバー２９に貼り付ける。そして、防水スポンジ３３に対し、図１２に示すように、合成樹脂製の端子台２０に形成したラビリンス突条２０ｂにて圧縮する構造としている。すなわち、下向きのラビリンス突条２０ｂと上向きのラビリンス突条２９ｂとを、周方向に所定の隙間を介して対向配置することで迷路を形成し、防水スポンジ３３を、迷路による外部からの浸入経路中に介装したものとしている。
【００４８】
前記第４ラビリンス構造Ｅ’は、端子台２０のカバー開口部の周囲に端子台カバー２１との間で、端子台外側空間３１から端子台内側空間２７への浸入経路を蛇行させて迷路を形成し、この迷路領域に空気を通す防水スポンジ３４を追加することで構成される。この防水スポンジ３４は、樹脂製の端子台２０のカバー開口部を確保する形状の穴を有する環状スポンジを、端子台２０に貼り付ける。そして、防水スポンジ３４に対し、図１２に示すように、端子台カバー２１、或いは、ラビリンス突条２０ｃにて圧縮する構造としている。すなわち、端子台２０からの上向きのラビリンス突条２０ｃと、端子台カバー２１からの下向きのラビリンス突条２１ａとを、周方向に所定の隙間を介して対向配置することで迷路を形成し、防水スポンジ３４を、迷路による外部からの浸入経路中に介装したものとしている。なお、端子台カバー２１は、フロントケースカバー２２との間に介装した振動吸収スポンジ３０と、端子台２０との間に介装した防水スポンジ３４と、により両面を挟むことでフロート弾性支持状態とされている。
【００４９】
ここで、ラビリンス構造に、防水スポンジ３３，３４を追加する理由を説明する。
(a)実施例１にて防水機能を得るのにラビリンス構造としたのは、モータ内部の内圧が上がらないように、通気性を確保しなければならないためである。このラビリンス構造にシール構造を追加する場合、シール構造としては、Ｏ-リング等のゴム材を使用するのが一般的であるが、Ｏ-リング等のゴム材を使用すると、通気性を確保できない。そこで、通気性の確保のため、空気を通す防水スポンジ３３，３４を選択した。
(b)ゴムシールや防水スポンジは、圧縮してシールするため、ゴムだと反力が高くなる。例えば、ハウジングカバーにゴムシールを貼り付け、樹脂製の端子台で圧縮する構造とすると、ゴム反力により樹脂製の端子台が破損するおそれがある。そこで、ゴムシールに比べ反力が低い防水スポンジ３３，３４を選択した。
なお、他の構成は、実施例１と同様であるので図示並びに説明を省略する。
【００５０】
次に、実施例２の第３ラビリンス構造Ｄ’と第４ラビリンス構造Ｅ’によるシール作用を説明する。
例えば、ラビリンス構造のみでは、外部空間と端子台内部空間２７がラビリンス空間で繋がっているため、水,塩,ダスト,異物類の浸入を防げない場合がある。
これに対し、ラビリンス構造に防水性のある防水スポンジ３３，３４を追加することで、外部空間と端子台内部空間２７とが遮断され、通気性を確保しながら、モータ内部（端子台内部空間２７)への水,塩,ダスト,異物類の浸入を確実に防止することができる。
そして、防水スポンジ３３，３４を追加するだけなので、周辺部品や組み立て性に影響なく高いシール性を確保することができる。
【００５１】
次に、端子台内部空間２７への水等の浸入を防止するには、例えば、防水スポンジ単体を用いることでも達成できる。そこで、実施例２のラビリンス構造＋防水スポンジ３３，３４を用いた場合と、防水スポンジ単体を用いた場合のシール効果の違いを述べる。
防水スポンジ単体を用いた場合、長期間の使用等で防水スポンジが劣化した場合には、防水性能が下がる。
これに対し、ラビリンス構造＋防水スポンジ３３，３４を用いた場合、仮に防水スポンジ３３，３４の防水性能が低下しても、外部からの水等が防水スポンジ３３，３４に浸入した場合、ラビリンス構造が水の浸入を防いでくれる。よって、ラビリンス構造＋防水スポンジ３３，３４としたことで、端子台内部空間２７への水等の浸入防止機能のロバスト性を向上させることができる。
なお、他の作用は、実施例１と同様であるので、説明を省略する。
【００５２】
次に、効果を説明する。
実施例２のモータ駆動ユニットM/Uにあっては、下記に列挙する効果を得ることができる。
【００５３】
(5) 前記端子台２０の防水構造を、前記端子台２０の端子台内側空間３７への浸入経路を蛇行させたラビリンス構造に、空気を通す防水スポンジ３３，３４を追加することで構成した（図１１）。
このため、実施例１の(1)又は(2)の効果に加え、周辺部品や組み立て性に影響なく、通気性を確保しながら、端子台内部空間２７への水等の浸入を確実に防止することができる。
【００５４】
(6) 前記端子台２０の防水構造として、前記モータハウジング１５の端子開口部１５ａの周囲に前記端子台２０との間で、端子台内側空間２７への浸入経路を蛇行させて迷路を形成し、この迷路領域に空気を通す防水スポンジ３３を追加した第３ラビリンス構造Ｄ’を設けた（図１２、図１３）。
このため、(5)の効果に加え、外部（ケース内空間２６や端子台外側空間３１）からモータハウジング１５と端子台２０との間を経由して端子台内側空間２７へ浸入しようとする水等の浸入を確実に防止することができる。
【００５５】
(7) 前記端子台２０の防水構造として、前記端子台２９のカバー開口部の周囲に前記端子台カバー２１との間で、端子台内側空間２７への浸入経路を蛇行させて迷路を形成し、この迷路領域に空気を通す防水スポンジ３４を追加した第４ラビリンス構造Ｅ’を設けた（図１２）。
このため、(5)又は(6)の効果に加え、外部（端子台外側空間３１）から端子台２９と端子台カバー２１との間を経由して端子台内側空間２７へ浸入しようとする水等の浸入を確実に防止することができる。
【００５６】
以上、本発明のモータ駆動ユニットを実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００５７】
実施例１では、強電端子台構成Ａ１の防水構造として、端子台内部防水領域Ｂを形成するとともに、プラグシール構造Ｃと第１ラビリンス構造Ｄと第２ラビリンス構造Ｅを採用する例を示した。実施例２では、強電端子台構成Ａ２の防水構造として、端子台内部防水領域Ｂを形成するとともに、プラグシール構造Ｃと第３ラビリンス構造Ｄ’と第４ラビリンス構造Ｅ’を採用する例を示した。しかし、強電端子台構成の防水構造としては、モータハウジングの外周を囲うフロントケースを端子台の支持部材とし、フロントケースにより端子台を覆うように構成したものにおいて、端子台の防水性を確保できるシール構造であれば、具体的なシール構造は実施例１，２に限定されない。
【００５８】
実施例１では、エンジンEngとベルト式無段変速機T/Mを備えたＦＦハイブリッド駆動系に有するモータ駆動ユニットM/Uへの適用例を示した。しかし、ハイブリッド車に限らず、電気自動車や燃料電池車、等のように、駆動源としてモータ/ジェネレータのみを搭載し、変速機として、固定減速機や有段変速機等を搭載した電動車両のモータ駆動ユニットに対しても適用することができる。
【符号の説明】
【００５９】
M/U  モータ駆動ユニット
T/M  ベルト式無段変速機
６  モータ/ジェネレータ（モータ）
６１  ロータ
６２  ステータ
６３  ステータコイル
１０  変速機ケース
１４  フロントケース
１５  モータハウジング
１５ａ  端子開口部
１７  モータ側コイル端子
１８  インバータ側コイル端子
１９  端子接続ボルト
２０  端子台
２１  端子台カバー
２２  フロントケースカバー
２７  端子台内側空間
２９  ハウジングカバー
３０  振動吸収スポンジ（弾性部材）
３１  端子台外側空間
３３  防水スポンジ
３４  防水スポンジ
Ａ１  強電端子台構成
Ｂ  端子台内部防水領域
Ｃ  プラグシール構造
Ｄ  第１ラビリンス構造
Ｅ  第２ラビリンス構造
Ａ２  強電端子台構成
Ｄ’  第３ラビリンス構造
Ｅ’  第４ラビリンス構造
【図１】
2014090658.tif 000003
【図２】
2014090658.tif 000004
【図３】
2014090658.tif 000005
【図４】
2014090658.tif 000006
【図５】
2014090658.tif 000007
【図６】
2014090658.tif 000008
【図７】
2014090658.tif 000009
【図８】
2014090658.tif 000010
【図９】
2014090658.tif 000011
【図１０】
2014090658.tif 000012
【図１１】
2014090658.tif 000013
【図１２】
2014090658.tif 000014
【図１３】
2014090658.tif 000015